(57)【要約】【課題】排尿時の操作性を良好にした男性用パンツの提供。【解決手段】男性用パンツ本体１は、前身頃２及び後身頃３を股間部４で連続させたものからなり、着用部分６及び脚口５を利用して着用する。前身頃２には、腹部分から延びる前だれ部分２ａ及び股間部４から延びる下合せ部分２ｂがそれぞれ重なり合い、その中央部分では、横割れ可能な排尿部７が構成される。この場合、前身頃２の下合せ部分２ｂの内部側には、吸水パット９が備えられるようにすれば、軽度の失禁者にも好適し、また前身頃２の内側にも、吸水パット９が備えられるようにしてもよい。さらに、前身頃２に横割れ部分７ａを形成して、この横割れ部分７ａを前だれ部分２ａで覆うようにしてもよい。【選択図】  図１
2004256978.tif 000002
【特許請求の範囲】
【請求項１】
前身頃及び後身頃を股間部で連続させるようにしたパンツ本体には、左右の脚口が備えられるとともに、前身頃側で排尿部が構成されるようにした男性用パンツにおいて、
前記排尿部は、腹側から延びる前だれ部分及び股間部側から延びる下合せ部分がそれぞれ重なるように構成され、しかもこれらの前だれ部分及び下合せ部分が横割れ可能になっていることを特徴とする男性用パンツ。
【請求項２】
前記前身頃にある下合せ部分の内側には、吸水パットが備えられている請求項１記載の男性用パンツ。
【請求項３】
前記前だれ部分の内側には、吸水パットが備えられていることを特徴とする請求項１記載の男性用パンツ。
【請求項４】
前身頃及び後身頃を股間部で連続させるようにしたパンツ本体には、左右の脚口が備えられるとともに、前身頃側で排尿部が構成されるようにした男性用パンツにおいて、
前記排尿部は、前身頃には、横割れ部分が形成され、しかもこの横割れ部分を覆うように前だれ部分が備えられていることを特徴とする男性用パンツ。
【請求項５】
前記前だれ部分の内側には、吸水パットが備えられていることを特徴とする請求項４記載の男性用パンツ。
【発明の詳細な説明】
【０００１】
【発明の属する技術分野】
本発明は、男性用パンツに関し、特に、排尿時の操作性を簡便にするとともに、着用感も損なわないようにしたものである。
【０００２】
【従来の技術】
従来、この種の男性用パンツは、ブリーフ或いはトランクスとして知られているが、ブリーフでは、前身頃に縦割れの排尿部を設けている。
【０００３】
【発明が解決しようとする課題】
しかしながら、前述したブリーフでは、縦割れの排尿部の構成であるため、失禁しやすい人達にとっては、尿意を催してから、トイレ（含、ポータブルトイレ）に行っても、排尿が間に合わず失禁してしまうおそれがあった。
また、縦割れの排尿部は、右利き用であるため、左利きの人達にとっては、尿意を催した緊急時などでは、排尿操作が煩わしいという不都合もあった。
このようなことから、本発明は、上記の問題点に鑑みなされたものであって、安心して容易に排尿できることを目的としている。
【０００４】
【課題を解決するための手段】
本発明に係る請求項１記載の男性用パンツは、前身頃及び後身頃を股間部で連続させるようにしたパンツ本体には、左右の脚口が備えられるとともに、前身頃側で排尿部が構成されるようにした男性用パンツにおいて、前記排尿部は、腹側から延びる前だれ部分及び股間部側から延びる下合せ部分がそれぞれ重なるように構成され、しかもこれらの前だれ部分及び下合せ部分が横割れ可能になっていることを特徴とする。
【０００５】
上記構成によれば、排尿部は、前だれ部分及び下合せ部分が横割れ可能になっているため、着用感もよく、違和感もない。また、排尿にあたっては、前だれ部分を引き上げ、下合せ部分を引き下げることによって可能になる。
このため、操作性が簡便であることから、容易に安心感を持って排尿できるものである。
【０００６】
また、本発明に係る請求項２記載の男性パンツは、前身頃の下合せ部分の内側には、吸水パットが設けられることにより軽度の失禁者用に好適する。
【０００７】
上記構成の男性用パンツによれば、着用者は、失禁や残尿があったとしても、下合せ部分に備えられた吸水パットによって尿を確実に吸水できるので、パンツ本体を直接濡らすことがないため、良好な着用感を維持できる。
【０００８】
さらに、本発明に係る請求項３記載の男性用パンツは、前だれ部分の内側には、吸水パットが備えられている。
上記構成の男性用パンツによれば、残尿があったとしても、前だれ部分に備えられた吸水パットによって、残尿を確実に吸水できる。したがって、着用者は、良好な着用感を維持できる。
【０００９】
また、本発明に係る請求項４記載の男性用パンツは、前身頃及び後身頃を股間部で連続させるようにしたパンツ本体には、左右の脚口が備えられるとともに、前身頃側で排尿部が構成されるようにした男性用パンツにおいて、前記排尿部は、前身頃には、横割れ部分が形成され、しかもこの横割れ部分を覆うように前だれ部分が備えられていることを特徴とする。
【００１０】
上記構成の男性用パンツによれば、排尿部は、前身頃に横割れ部分が構成され、しかもこの横割れ部分を覆うような前だれ部分が備えられることから着用感もよい。また、排尿にあたっては、片手で前だれ部分を持ち、反対側の手で下合せ部分を引き下げることによって可能になる。このため、操作性が簡便であることから、容易に安心感を持って排尿できる。
【００１１】
さらに、本発明に係る請求項５記載の男性用パンツは、前だれ部分に備えられた吸水パットによって残尿を確実に吸水できる。したがって、着用者は、残尿があっても、パンツ本体を直接濡らすことがないため、良好な着用感を維持できるものである。
【００１２】
【発明の実施の形態】
以下、本発明に係る男性用パンツの実施例について、添付図面に基づいて詳細に説明する。図１は、本発明の第１実施形態に係る男性パンツを示す概念的な説明図である。
【００１３】
第１実施形態の男性用パンツは、例えば木綿１００％の生地からなるパンツ本体１については、前身頃２及び後身頃３を股間部４で連続させるようにしたものであり、着用にあたっては、左右の脚口５Ｒ，５Ｌから両足を入れて通し、またゴムひもなどで構成された伸縮可能な着用部分６を利用して腰部分に装着する。ところで、前記前身頃２は、図２で示されているように、腹部分から延びる前だれ部分２ａ及び股間部４から延びる下合せ部分２ｂがそれぞれ重なり合うように備えられており、その中央部分では、横割れの排尿部７が構成されるようになっている。
つまり、これらの前だれ部分２ａ及び下合せ部分２ｂは、両端側で例えば縫い合わされ、その中央部分には、図１でみられるような水平状、図示しないＶ字状又は凹曲状になる横割れ部分７ａを有する排尿部７が構成される。
したがって、下合せ部分２ｂは、股間部分４から着用部分６まで延びる必要がないことから、従来の縦割れ構成の排尿部に比べて、原反の使用量が少なく、縫い合せの作業量も少なくなる。
また、排尿時には、前だれ部分２ａを引き上げるとともに、下合せ部分２ｂを引き下げれば排尿が可能になるため、安心感をもって着用できる。
【００１４】
次いで、本発明の第２実施形態に係る男性用パンツについて説明するが、上述の第１実施形態と同様な構成部分には、同一符号を付して説明を省略または簡略化する。図３は、本発明の第２実施形態に係る男性用パンツを概念的に示した説明図である。
図３において、男性用パンツは、特に、軽度の失禁者に好適させるため、前記排尿部７の下合せ部分２ｂの内部側には、図４で明示されているように、内袋８が形成され、この内袋８内には、吸水パット９が備えられるものである。この場合、内袋８は、内布を縫い合せるか、或いは下合せ２ｂを延長して折り曲げるようにすれば、容易に構成できる。なお、排尿部７の前だれ部分２ａとしては、図１と異なり凹曲状を呈するものが示されている。
また、前記吸水パット９は、例えば、吸水・速乾性の生地、一般に普及している吸水性樹脂、逆戻し防止・通気性のある立体メッシュ生地及び吸水・保水性の生地などを積層することで尿もれ、防水が可能になる。この場合、内袋８の身体側の内側には、フィルム状のビニールシートなどを貼って防水加工すれば、さらに防水性が高まる。
さらに、前述した内袋８は、吸水パット９にマジックテープなどを備えるようにすれば、省略することも可能である。
なお、健常者或いは軽度の失禁者では、尿もれ量が、数ミリリットル〜数十ミリリットルであるから、吸水パット９による吸水があれば、濡れによる不快感を生じない。
【００１５】
さらに、本発明の第３実施形態に係る男性用パンツについて説明するが、上述の第１実施形態及び第２実施形態と同様な構成部分には、同一符号を付して説明を省略または簡略化する。図５は、本発明の第３実施形態に係る男性用パンツを概念的に示した一部断面図である。
図５において、男性用パンツは、健常者或いは軽度の失禁者に好適させるため、前だれ部分２ａの内側には、吸水パット９が備えられるようになっている。この場合、吸水パット９の装着は、図示しないマジックテープなどによって貼付するようにしてもよいし、図４で示した内袋８を構成して、その中に収納するようにしてもよい。
【００１６】
また、本発明の第４実施形態に係る男性用パンツについて説明するが、上述の第１実施形態ないし第３実施形態と同様な構成部分には、同一符号を付して説明を省略または簡略化する。図６は、本発明の第４実施形態に係る男性用パンツを概念的に示した一部断面図である。
図６において、男性用パンツは、排尿部７の構成としては、前身頃２には、横割れ部分７ａが形成され、しかもこの横割れ部分７ａを覆うように前だれ部分２ａが備えられているものである。この場合、横割れ７ａは、水平線状よりも股間部４側で凸となる曲線状が好適する。また前だれ部分２ａは、前身頃２に縫付けたり、或いはマジックテープなどにより着脱可能にされる。
そして、前だれ部分２ａの内側には、通常、何もつけなくてもよいが、図示の場合では、吸水パット９が備えられている。吸水パット９の装着は、粘着剤、マジックテープの利用などによるが、図４のように内袋８を構成して、その中に収納するようにしてもよい。
【００１７】
【発明の効果】
以上説明したように、本発明の請求項１に係る男性用パンツによれば、前身頃に設けられている排尿部は、腹側から延びる前だれ部分及び股間部から延びる下合せ部分がそれぞれ重なるようにして設けられ、しかもこれらの前だれ部分及び下合せ部分が横割れ可能になっている。このため、着用者は、両手を使用して、前だれ部分を引き上げるとともに、下合せ部分を引き下げることによって排尿可能になる。したがって、操作性が簡便になることから、安心感を持って容易に排尿できる。
【００１８】
また、本発明の請求項２に係る男性用パンツによれば、前身頃の下合せ部分の内部側には、吸水パットを収納する内袋が形成されている。このため、軽い失禁や残尿があったとしても、確実に防水できることから、軽度の失禁者用に好適するものである。したがって、着用者は、パンツ本体を直接濡らすことことがなくなり、良好な着用感を維持できる。
さらに、本発明の請求項３に係る男性用パンツによれば、前だれ部分の内側には吸水パットが備えられている。このため、残尿があったとしても確実に防水できる。
【００１９】
また、本発明の請求項４に係る男性用パンツによれば、排尿部は、前身頃には、横割れ部分が構成され、しかもこの横割れ部分を覆おうように前だれ部分が備えられている。このため、着用者は、前だれ部分を引き上げ、下合せ部分を引き下げることによって排尿可能になる。したがって、操作性が簡便になることから安心感を持って容易に排尿できる。この場合、前だれ部分の内側に吸水パットを備えるようにすれば、着用者は、残尿があったとしても確実に防水できるので、パンツ本体を直接濡らすことがなくなり、良好な着用感を維持できる。
【００２０】
【図面の簡単な説明】
【図１】本発明の第１実施形態に係る男性用パンツを示す概念的な説明図である。
【図２】図１中のＡ−Ａ線に沿って得られる一部断面図である。
【図３】本発明の第２実施形態に係る男性用パンツを示す概念的な説明図である。
【図４】図３中のＢ−Ｂ線に沿って得られる一部断面図である。
【図５】本発明の第３実施形態に係る男性用パンツを示す一部断面図である。
【図６】本発明の第４実施形態に係る男性用パンツを示す一部断面図である。
【符号の説明】
１  パンツ本体
２  前身頃
２ａ  前だれ部分
２ｂ  下合せ部分
３  後身頃
４  股間部
５Ｒ  右脚口
５Ｌ  左脚口
６  着用部分
７  排尿部
７ａ  横割れ部分
８  内袋
９  吸水パット
【図１】
2004256978.tif 000003
【図２】
2004256978.tif 000004
【図３】
2004256978.tif 000005
【図４】
2004256978.tif 000006
【図５】
2004256978.tif 000007
【図６】
2004256978.tif 000008